(57)【特許請求の範囲】
【請求項１】
光心線を収容し、複数を重ねて使用する挟み込み防止機能付トレイであって、
平板状に形成された底面部の外周に沿って立設した外縁部が形成され、上面部が開口したトレイ本体と、
前記トレイ本体の外縁部に着脱可能で、前記外縁部に取り付けられた状態では、当該外縁部より上方に突出し、当該トレイ本体の上側に他のトレイ本体を重ねた状態では、他のトレイ本体の下端部に当接し、当該トレイ本体と他のトレイ本体との間に前記光心線が外方にはみ出し可能な空間部が形成される挟み込み防止手段と、
を備えることを特徴とする挟み込み防止機能付トレイ。
【請求項２】
前記挟み込み防止手段は、前記外縁部の内周面に沿って、前記底面部に対して略垂直に位置調節自在である、ことを特徴とする請求項１に記載の挟み込み防止機能付トレイ。
【請求項３】
前記空間部は、前記光心線の径と略同等の高さに形成される、ことを特徴とする請求項１に記載の挟み込み防止機能付トレイ。
【請求項４】
前記挟み込み防止手段は、前記外縁部に複数配設されている、ことを特徴とする請求項１から３のいずれか１項に記載の挟み込み防止機能付トレイ。
【発明の詳細な説明】
【技術分野】
【０００１】
この発明は、光心線を収容し、複数を重ねて使用する挟み込み防止機能付トレイに関する。
【背景技術】
【０００２】
クロージャには複数のトレイが内蔵されており、それぞれのトレイにおいて、光心線を接続（融着）し、カプラを取り付けた接続部が収容されている。光心線の接続作業では、作業対象のトレイを開放して作業を行った後に、光心線をトレイ内に保持した状態でトレイを閉じるようになっている。この際に、光心線の余長もトレイ内に収容されるようになっている。ところが、トレイに収容する光心線数が多い場合や、余長が長い場合などは、光心線がトレイ内に収容しきれずに、はみ出しやすくなってしまう。このはみ出した光心線を、トレイを閉じる際にトレイ間に挟んで圧迫してしまうと、当該光心線が提供している通信が不良となってしまうおそれがある。このため、光心線の接続作業時は、光心線をトレイ間に挟まないように高度な注意が必要となり、作業性が低下してしまうという問題があった。
【０００３】
そこで、心線挟み込み防止シートを取り付けたケーブルクロージャに関する技術が知られている（特許文献１参照。）。このケーブルクロージャは、クロージャ本体の内部を閉じる蓋体から成り、該クロージャ本体の合せ縁の内側に隙間をあけて連結棒を設けたケーブルクロージャにおいて、隙間に心線挟み込み防止シートを差し込んで、接続した心線がクロージャ本体と蓋体との合せ目に挟み込まれるのを防止するものである。
【先行技術文献】
【特許文献】
【０００４】
【特許文献１】実用新案登録第３１００３０５号公報
【発明の概要】
【発明が解決しようとする課題】
【０００５】
しかしながら、特許文献１に記載の技術では、心線挟み込み防止シートの一側縁を一方の隙間に、他側縁を他方の隙間に、それぞれ差し込む必要があるため、光心線の接続作業時に作業用手袋を着用している場合は、作業に時間を要したり作業性を損なったりするおそれがあった。また、このような光心線の接続作業は足場の不安定な高所で行うことも多いため、作業性を損なわずに光心線の挟み込みを防止することが望まれていた。
【０００６】
そこで本発明は、作業性を損なわずに光心線の挟み込みを防止する挟み込み防止機能付トレイを提供することを目的とする。
【課題を解決するための手段】
【０００７】
上記目的を達成するために請求項１に記載の発明は、光心線を収容し、複数を重ねて使用する挟み込み防止機能付トレイであって、平板状に形成された底面部の外周に沿って立設した外縁部が形成され、上面部が開口したトレイ本体と、前記トレイ本体の外縁部に着脱可能で、前記外縁部に取り付けられた状態では、当該外縁部より上方に突出し、当該トレイ本体の上側に他のトレイ本体を重ねた状態では、他のトレイ本体の下端部に当接し、当該トレイ本体と他のトレイ本体との間に前記光心線が外方にはみ出し可能な空間部が形成される挟み込み防止手段と、を備えることを特徴とする挟み込み防止機能付トレイである。
【０００８】
この発明によれば、挟み込み防止手段によって当該トレイ本体と他のトレイ本体との間に光心線が外方にはみ出し可能な空間部が形成される。
【０００９】
請求項２に記載の発明は、請求項１に記載の挟み込み防止機能付トレイにおいて、前記挟み込み防止手段は、前記外縁部の内周面に沿って、前記底面部に対して略垂直に位置調節自在である、ことを特徴とする。
【００１０】
請求項３に記載の発明は、請求項１に記載の挟み込み防止機能付トレイにおいて、前記空間部は、前記光心線の径と略同等の高さに形成される、ことを特徴とする。
【００１１】
請求項４に記載の発明は、請求項１から３のいずれか１項に記載の挟み込み防止機能付トレイにおいて、前記挟み込み防止手段は、前記外縁部に複数配設されている、ことを特徴とする。
【発明の効果】
【００１２】
請求項１に記載の発明によれば、当該トレイ本体と他のトレイ本体との間に、光心線が外方にはみ出し可能な空間部が形成されるので、光心線がトレイ本体の外方にはみ出してしまった場合であっても、トレイ本体間に挟んで圧迫することを防止できる。つまり、トレイ本体間に挟まれて圧迫されることがないため、回線損傷に起因する回線断などの通信不良の可能性を低減できる。また、挟み込み防止手段は、トレイ本体の外縁部より上方に突出するため、トレイ本体からはみ出しそうになる光心線と接触して押し留めるストッパとしても機能する。このため、トレイ本体の外方にはみ出す光心線を最小限にすることができるので、光心線の接続部の安定性を高めることが可能である。
【００１３】
請求項２に記載の発明によれば、挟み込み防止手段は、底面部に対して略垂直に位置調節自在であるので、収容している光心線数などに応じて空間部の大きさを変更して、はみ出しを許容する光心線の数を増減することが可能である。
【００１４】
請求項３に記載の発明によれば、空間部は、光心線の径と略同等のわずかな高さに形成されるので、トレイ本体の外方にはみ出す光心線を最小限にすることが可能である。すなわち、トレイ本体内に収容される光心線が多くなり、より安定した通信状態を維持可能である。
【００１５】
請求項４に記載の発明によれば、挟み込み防止手段は、外縁部に複数配設されているので、光心線が外方にとび出しやすい位置に配置することで、より効果的に光心線のはみ出しを防止することができる。
【図面の簡単な説明】
【００１６】
【図１】この発明の実施の形態に係る挟み込み防止機能付トレイの平面図である。
【図２】図１の挟み込み防止機能付トレイの挟み込み防止手段を示す側面図である。
【図３】図２の挟み込み防止手段が他のトレイの下端部と当接した状態を示す側面図である。
【図４】図１の挟み込み防止機能付トレイを重ねた状態を示す正面図である。
【発明を実施するための形態】
【００１７】
つぎに、この発明の実施の形態について、図面を用いて詳しく説明する。
【００１８】
図１ないし図４は、本発明の実施の形態を示している。挟み込み防止機能付トレイ１は、光心線２００を収容し、複数を重ねて使用するものであって、主として、図１に示すように、トレイ本体２と、トレイ本体２に配設された挟み込み防止手段としての挟み込み防止部３と、巻き取りガイド部４とを有している。
【００１９】
トレイ本体２は、図１に示すように、クロージャ（図示略）内に複数段重ねて収容されるものである。このトレイ本体２は、光心線２００を収容するものであり、上面部が開口したトレイ状に形成されており、この実施の形態では前壁部２ａ、後壁部２ｂ、右側壁部２ｃ、左側壁部２ｄ、底壁部２ｅによって平面形状が横長の長方形状となるように形成されている。前壁部２ａおよび後壁部２ｂの両端部側と、右側壁部２ｃおよび左側壁部２ｄの中央部には、板状のケーブルストッパ２１〜２６が底壁部２ｅと略平行に配設されており、トレイ本体２内に収容した光心線２００が外方にはみ出さないようになっている。すなわち、ケーブルストッパ２１〜２６は、壁部２ａ〜２ｄと略同等の高さに配設されているため、光心線２００は壁部２ａ〜２ｄの上方に突出しないように保持される。ここで、前壁部２ａ、後壁部２ｂ、右側壁部２ｃ、左側壁部２ｄをまとめて外縁部２０とする。
【００２０】
挟み込み防止部３は、図２に示すように、トレイ本体２の外縁部２０に着脱可能であり、主として、狭持部３１と、スライド部３２とを有している。狭持部３１は、弾性変形可能な材料で構成されており、外縁部２０、すなわち、前壁部２ａ、後壁部２ｂ、右側壁部２ｃ、左側壁部２ｄを狭持可能となっている。つまり、狭持部３１は、外縁部２０の厚さよりわずかに小さい幅に設定された中空部３１ａを有し、外縁部２０の上端側を中空部３１ａに差し込むことで狭持可能となっている。
【００２１】
スライド部３２は、図２および図３に示すように、トレイ本体２の外縁部２０の内周面に沿って、すなわち、狭持部３１に沿ってスライド自在に配設されており、所望の位置で係止可能なストッパ（図示略）を有している。そして、狭持部３１が外縁部２０に取り付けられた状態、すなわち、外縁部２０を狭持した状態で、スライド部３２の先端部が外縁部２０の上端より上方にｄ１＋ｄ２だけ突出するようになっている。ここで、ｄ１は外縁部２０の上端から狭持部３１の先端部までの距離で約０．５ｍｍであり、ｄ２は狭持部３１の先端部からスライド部３２の先端部までの距離で約０．４ｍｍとなっている。そして、空間部Ｓの高さは、ｄ１＋ｄ２＝約０．９ｍｍとなり、光心線２００の径と略同等に形成されている。この空間部Ｓの高さは、クロージャの開閉や、トレイ本体２の回動、開閉に支障のない高さとなっている。また、例えば、スライド部３２をスライドして、狭持部３１の先端部からスライド部３２の先端部までの距離をｄ３とすることで、形成される空間部Ｓの高さを変更可能となっている。
【００２２】
このような挟み込み防止部３が、図３および図４に示すように、外縁部２０に取り付けられた状態では、当該外縁部２０より上方に突出している。つまり、当該トレイ本体２Ａの上側に他のトレイ本体２Ｂを重ねた状態では、他のトレイ本体２Ｂの下端部（底壁部）２Ｂｅに当接し、当該トレイ本体２Ａと他のトレイ本体２Ｂとの間に光心線２００が外方にはみ出し可能な空間部Ｓを形成する。また、スライド部３２によって、トレイ本体２Ａと他のトレイ本体２Ｂとの間は、トレイ本体２Ａの外縁部２０に沿って不連続に開口するので、光心線２００は、スライド部３２が配設されていない部分から外方にはみ出すようになっている。すなわち、挟み込み防止部３は、光心線２００が外方にはみ出し可能な空間部Ｓを形成するとともに、スライド部３２によって外方に突出する光心線を最小限に抑える機能を有している。
【００２３】
巻き取りガイド部４は、図１に示すように、トレイ本体２と同等の高さを有する略楕円筒状に形成されており、外周に沿って光心線２００を巻き取って保持可能となっている。つまり、巻き取りガイド部４は、トレイ本体２に収容された光心線２００を、トレイ本体２の両端部側で湾曲させた状態で巻き取るように収容する。この巻き取りガイド部４は、底壁部２ｅに接着剤によって固定可能となっており、底壁部２ｅの両端部に配設されている。
【００２４】
ここで、図１に示すように、光心線２００の余長は、トレイ本体２の両端部側において湾曲した状態で収容されている。また、トレイ本体２の両端部にはカプラ（図示略）も収容されていることから、両端部側はスペースが狭小であり、光心線２００が外方に押し出されやすい状態となっている。そして、ケーブルストッパ２１〜２６は、このような余長を有する光心線２００を、トレイ本体２の内側に留まるように保持する機能を有している。さらに、スライド部３２は、トレイ本体２の外方にはみ出そうとする光心線２００と当接することで、内側に押し戻してはみ出しを防止する機能を有している。それでもなお外方にはみ出す余長部のみ、空間部Ｓから外方へのはみ出しを許容するようになっている。
【００２５】
つぎに、光心線２００の接続作業時における挟み込み防止機能付トレイ１による挟み込み防止方法および作用について説明する。
【００２６】
まず、クロージャ（図示略）が開放されて、トレイ本体２Ａと他のトレイ本体２Ｂとを回動自在にしているヒンジが回動されて、光回線２００の接続作業対象のトレイ本体２Ａが開放される。そして、当該トレイ本体２Ａにおいて光回線２００の接続や変更がなされる。このとき、光回線２００の余長がトレイ本体２Ａの巻き取りガイド部４に沿って両端部で湾曲され、さらに、ケーブルストッパ２１〜２６によって外方にはみ出さないように保持される。
【００２７】
そして、トレイ本体２Ａの外縁部２０に取り付けられた６つの挟み込み防止部３のスライド部３２がスライドされて、狭持部３１の先端部からの距離がｄ２となる位置に固定される。
【００２８】
そして、ヒンジが回動されてトレイ本体２Ａと他のトレイ本体２Ｂとが閉じられる。そうすると、スライド部３２の先端部が他のトレイ本体２Ｂの底壁部２ｅと当接されることにより、トレイ本体２Ａと他のトレイ本体２Ｂとの間に空間部Ｓが形成される。この空間部Ｓは、隣接するスライド部３２間に形成される。
【００２９】
このようにして、挟み込み防止機能付トレイ１のケーブルストッパ２１〜２６やスライド部３２によって、光心線２００はトレイ本体２Ａの内部に留まるように保持される。そして、光心線２００のさらなる余長部は、トレイ本体２Ａと他のトレイ本体２Ｂとの間に形成された空間部Ｓから外方にはみ出される。このとき、空間部Ｓは、光心線２００の径と同等の高さとなるように設定されているので、空間部Ｓから外方にはみ出す光心線２００は最小限に制限されている。
【００３０】
そして、最後にクロージャが閉じられるので、空間部Ｓから外方にはみ出した光心線２００もクロージャ内に収容されるため、光心線２００がクロージャによって保護された状態で設置される。
【００３１】
このように、挟み込み防止機能付トレイ１によれば、当該トレイ本体２Ａと他のトレイ本体２Ｂとの間に光心線２００が外方にはみ出し可能な空間部Ｓが形成されるので、光心線２００がトレイ本体２Ａの外方にはみ出してしまった場合であっても、トレイ本体２Ａと他のトレイ本体２Ｂとの間に挟んでしまうことが防止される。つまり、トレイ本体２Ａと他のトレイ本体２Ｂとの間に挟まれて圧迫されることがないため、回線損傷に起因する回線断などの通信不良の可能性を低減できる。また、挟み込み防止部３は、トレイ本体２Ａの外縁部２０より上方に突出するため、トレイ本体２Ａの外側にはみ出しそうになる光心線２００をトレイ本体２Ａ内に留めるストッパとしても機能する。つまり、光心線２００の余長が、スライド部３２と当接することでトレイ本体２Ａの内側に押し戻されるようになる。このため、トレイ本体２Ａの外方にはみ出す光心線２００を最小限にすることができるので、光心線２００の接続部の安定性を高めることが可能である。
【００３２】
また、挟み込み防止部３は、底壁部２ｅに対して略垂直にスライドして位置調節自在であるので、収容している光心線数などに応じて空間部Ｓの大きさを変更して、はみ出しを許容する光心線２００の数を増減することが可能である。
【００３３】
また、挟み込み防止部３は、トレイ本体２Ａの外縁部２０を狭持して固定されているので、クロージャの設置方向（縦置き、横置き）に関わらず安定して固定することができる。また、挟み込み防止部３は、クロージャやトレイ本体２の新設時のみならず、既存のトレイ本体２を改修することなく取り付けることが可能である。さらに、取り付け時には、特別な工具が不要であり、容易に取り付け可能である。
【００３４】
また、空間部Ｓは、光心線２００の径と略同等のわずかな高さに形成されるので、トレイ本体２の外方にはみ出す光心線２００を最小限にすることが可能である。つまり、トレイ本体２内に収容される光心線２００が多くなることで、より安定した通信状態を維持可能である。
【００３５】
さらに、挟み込み防止部３は、トレイ本体２の外縁部２０に複数配設されているので、光心線２００が外方にとび出しやすい位置、例えば、トレイ本体２の両端部に配置することで、より効果的に光心線２００のはみ出しを防止することができる。
【００３６】
さらにまた、挟み込み防止部３をトレイ本体２に取り付けた後は、光心線２００の接続作業時に特別な注意を払う必要がなく、作業手順が変更不要であるので、作業用手袋を着用しても作業性を損なわずに光心線２００の挟み込みを防止することが可能である。つまり、作業者は従来通りに光心線２００の接続作業を行った後に、トレイ本体２Ａと他のトレイ本体２Ｂとを閉じるだけで、光心線２００の挟み込みを防止することが可能である。
【００３７】
以上、この発明の実施の形態を詳述してきたが、具体的な構成は上記の実施の形態に限られるものではなく、この発明の要旨を逸脱しない範囲の設計の変更等があっても、この発明に含まれる。例えば、挟み込み防止部３の取り付け数は、６つに限定されることはなく、４つなど、トレイ本体２の外方にはみ出す光心線２００を最小限にすることが可能な数であればよい。
【００３８】
また、挟み込み防止部３のスライド部３２を、上端側が下向きの湾曲形状とすることで、光心線２００をよりトレイ本体２の内側に留められるようにしてもよい。
【符号の説明】
【００３９】
１        挟み込み防止機能付トレイ
２        トレイ本体
２ｅ      底壁部（下端部）
２０      外縁部
３        挟み込み防止部（挟み込み防止手段）
３１      狭持部
３２      スライド部
Ｓ        空間部
２００    光心線
【図１】
0005800231.tif 000002
【図２】
0005800231.tif 000003
【図３】
0005800231.tif 000004
【図４】
0005800231.tif 000005